(57)【要約】【課題】レンズの光軸方向の位置を容易に調整できるレンズ鏡筒を提供する。【解決手段】フォーカスリング１８を所定の回動位置に回動させることで、フォーカスリング１８の側面に開口した貫通孔１８ａから中空軸４および取付ボルト５にアクセスできる。偏心ピンが中空軸４と取付ボルト５とによって構成されているので、転がり軸受７と転がり軸受６とは、互いに偏心した状態で固定筒１の直進溝１ｂおよび回転筒３のカム溝３ｂと嵌合している。したがって、取付ボルト５を緩めて中空軸４を貫通孔４ｄの中心軸を中心に回動させると、直進溝１ｂとカム溝３ｂとの交差部に対して、転がり軸受７は直進溝１ｂに沿って移動する。これにより、転がり軸受７の内輪７ａに挿通された中空軸４も移動枠２およびレンズＬ２とともに光軸ＡＸ１に沿って進退する。【選択図】図１
2007114540.tif 000002
【特許請求の範囲】
【請求項１】
操作部材を操作することにより移動可能なレンズ部材と、
前記操作により前記レンズ部材を移動させる移動機構と、
前記操作部材と前記移動機構との関係を所定の関係に保った状態で、前記レンズ部材の位置を調整する調整機構とを備えることを特徴とする光学装置。
【請求項２】
請求項１に記載の光学装置において、
前記移動機構は、第１の案内溝を有する固定部材と、前記固定部材に対して移動可能であり、前記第１の案内溝と交差する方向に延在する第２の案内溝を有し前記操作部材に連動する案内部材とを備え、
前記調整機構は、前記第１の案内溝と前記第２の案内溝に摺動し前記レンズ部材に支持される摺動部を有し、前記摺動部は前記第１の案内溝と前記第２の案内溝とのうちの前記レンズ部材の移動方向と交差する方向に延在する溝に摺動する部分と前記支持の中心との間隔が可変となっていることを特徴とする光学装置。
【請求項３】
請求項２に記載の光学装置において、
前記移動機構は、前記操作部材の操作によって前記レンズ部材を含む光学系の光軸と平行な方向に前記レンズ部材を移動させて、撮影距離および焦点距離の少なくとも一方を変更することを特徴とする光学装置。
【請求項４】
請求項３に記載の光学装置において、
前記移動機構と連動して前記撮影距離および前記焦点距離のうち前記変更する少なくとも一方の状態を示す指標部をさらに備え、
前記調整機構は、前記指標部が所定の値を示している状態で、その状態に応じた光学特性となるように前記レンズ部材の位置を調整することを特徴とする光学装置。
【請求項５】
請求項３または請求項４に記載の光学装置において、
前記移動機構は、前記操作部材の前記光軸周りの回転操作に連動して前記案内部材が前記光軸周りに回転し、前記光軸周りに回転する案内部材によってカム機構が駆動されることで前記光軸と平行な方向に前記レンズ部材を移動させることを特徴とする光学装置。
【請求項６】
請求項５に記載の光学装置において、
前記カム機構は、前記案内部材に設けられた前記第２の案内溝であるカム溝と、前記レンズ部材に支持される摺動部であって前記カム溝によって駆動されるカムフォロアとを備え、
前記調整機構は、前記レンズ部材に対する前記カムフォロアの位置を固定する偏心ピンであることを特徴とする光学装置。
【請求項７】
請求項６に記載の光学装置において、
前記カム機構および前記調整機構は、前記光軸を中心とする周方向に複数設けられていることを特徴とする光学装置。
【請求項８】
請求項１〜７のいずれか一項に記載の光学装置を備え、カメラボディに着脱可能なことを特徴とする交換レンズ。
【請求項９】
請求項１〜７のいずれか一項に記載の光学装置を備えることを特徴とするカメラ。
【発明の詳細な説明】
【技術分野】
【０００１】
本発明は、光学装置等に設けられたレンズの位置調節に関する。
【背景技術】
【０００２】
一眼レフカメラに着脱可能に取り付けられる交換レンズでは、操作環を操作することでレンズ鏡筒内の一部のレンズを光軸方向に移動させてフォーカス調節を行っている（特許文献１参照）。
【０００３】
【特許文献１】特開平９−２６５３６号公報
【発明の開示】
【発明が解決しようとする課題】
【０００４】
操作環によるフォーカス調節をする際の目安として、撮影距離を示す距離目盛が設けられているが、レンズ鏡筒を組み立てた後に距離目盛と結像面位置との関係を調節する必要が生じることがある。しかし、従来のレンズ鏡筒では、フォーカス調整のために光軸方向に移動させるレンズよりも被写体側に取り付けられたレンズをレンズ鏡筒から外さなければ、距離目盛と結像面位置との関係を調節できなかった。
【課題を解決するための手段】
【０００５】
（１）  請求項１の発明による光学装置は、操作部材を操作することにより移動可能なレンズ部材と、操作によりレンズ部材を移動させる移動機構と、操作部材と移動機構との関係を所定の関係に保った状態で、レンズ部材の位置を調整する調整機構とを備えることを特徴とする。
（２）  請求項２の発明は、請求項１に記載の光学装置において、移動機構は、第１の案内溝を有する固定部材と、固定部材に対して移動可能であり、第１の案内溝と交差する方向に延在する第２の案内溝を有し操作部材に連動する案内部材とを備え、調整機構は、第１の案内溝と第２の案内溝に摺動しレンズ部材に支持される摺動部を有し、摺動部は第１の案内溝と第２の案内溝とのうちのレンズ部材の移動方向と交差する方向に延在する溝に摺動する部分と支持の中心との間隔が可変となっていることを特徴とする。
（３）  請求項３の発明は、請求項２に記載の光学装置において、移動機構は、操作部材の操作によってレンズ部材を含む光学系の光軸と平行な方向にレンズ部材を移動させて、撮影距離および焦点距離の少なくとも一方を変更することを特徴とする。
（４）  請求項４の発明は、請求項３に記載の光学装置において、移動機構と連動して撮影距離および焦点距離のうち変更する少なくとも一方の状態を示す指標部をさらに備え、調整機構は、指標部が所定の値を示している状態で、その状態に応じた光学特性となるようにレンズ部材の位置を調整することを特徴とする。
（５）  請求項５の発明は、請求項３または請求項４に記載の光学装置において、移動機構は、操作部材の光軸周りの回転操作に連動して案内部材が光軸周りに回転し、光軸周りに回転する案内部材によってカム機構が駆動されることで光軸と平行な方向に前記レンズ部材を移動させることを特徴とする。
（６）  請求項６の発明は、請求項５に記載の光学装置において、カム機構は、案内部材に設けられた第２の案内溝であるカム溝と、レンズ部材に支持される摺動部であってカム溝によって駆動されるカムフォロアとを備え、調整機構は、レンズ部材に対するカムフォロアの位置を固定する偏心ピンであることを特徴とする。
（７）  請求項７の発明は、請求項６に記載の光学装置において、カム機構および調整機構は、光軸を中心とする周方向に複数設けられていることを特徴とする。
（８）  請求項８の発明による交換レンズは、請求項１〜７のいずれか一項に記載の光学装置を備え、カメラボディに着脱可能なことを特徴とする。
（９）  請求項９の発明によるカメラは、請求項１〜７のいずれか一項に記載の光学装置を備えることを特徴とする。
【発明の効果】
【０００６】
本発明によれば、レンズ部材の位置を容易に調節できる。
【発明を実施するための最良の形態】
【０００７】
図１〜３を参照して、本発明による光学装置をカメラの交換レンズであるレンズ鏡筒に適用した一実施の形態を説明する。図１は、本発明によるレンズ鏡筒１００を、光軸を含む面で切断した断面を示す図であり、図２は、レンズ鏡筒１００の外観図である。Ｌ１，Ｌ２，Ｌ３はレンズであり、被写体側からレンズＬ１，レンズＬ２，レンズＬ３の順に光軸ＡＸ１に沿って配設されている。レンズＬ１，Ｌ３は、後述する固定筒１に保持される。レンズＬ２はフォーカス調節のためのレンズであり、後述する移動枠２に保持されて、移動枠２とともに光軸ＡＸ１の前後方向に移動可能である。なお、以下の説明では、図１における紙面左側が被写体側、すなわち光軸ＡＸ１の前方であり、紙面右側がカメラ側、すなわち光軸ＡＸ１の後方である。
【０００８】
１は固定筒であり、上述のように内周面でレンズＬ１，Ｌ３を保持する。固定筒１の光軸ＡＸ１の後方端面には、レンズ鏡筒１００を不図示のカメラ本体に取り付けるためのバヨネット１ａが設けられている。レンズＬ１とレンズＬ３との間の固定筒１の側面には、光軸ＡＸ１と略平行であり、側面の内外面を貫通する直進溝１ｂが設けられている。
【０００９】
２は移動枠であり、上述のように内周面でレンズＬ２を保持し、固定筒１の内周面に光軸ＡＸ１の前後方向に移動可能に嵌挿されている。移動枠２には、後述する中空軸４が嵌合する嵌合部２ａが設けられている。移動枠２の光軸ＡＸ１方向後半部分には、前半部分よりも外形が小さい後部円筒部２ｂが設けられている。
【００１０】
３は回転筒であり、レンズＬ１とレンズＬ３との間の固定筒１の側面の外周面に対して、光軸ＡＸ１周りに回動可能に取り付けられている。回転筒３の側面には、光軸ＡＸ１を中心とする螺旋状の２本のカム溝３ａ，３ｂと、円周方向に沿った溝である円周溝３ｃとが設けられている。すなわちカム溝３ａ，３ｂは、固定筒１の直進溝１ｂと交差する方向に延在している。回転筒３の光軸ＡＸ１方向前方の端部近傍には、径方向に突出する突起部３ｄが設けられている。回転筒３が光軸ＡＸ１周りに回動されると、カム溝３ａ，３ｂと固定筒１の直進溝１ｂとがそれぞれ交差する部分（交点）が光軸ＡＸ１の前後方向に移動するように構成されている。
【００１１】
１８はフォーカスリングであり、フォーカス調節のために使用者によって回動される。フォーカスリング１８は、固定筒１の外周面に対して、回転筒３の外周面から外側に離間した状態で、光軸ＡＸ１周りに回動可能に取り付けられている。フォーカスリング１８の側面には、貫通孔１８ａが設けられている。フォーカスリング１８の光軸ＡＸ１方向前方の内周面には、回転筒３の突起部３ｄが嵌合する切り欠き部１８ｄが設けられている。
【００１２】
フォーカスリング１８の外周面には、使用者がフォーカスリング１８を回動操作する際の滑り止めとなる滑り止め部材１９が巻かれている。なお、フォーカスリング１８の外周面には、貫通孔１８ａを塞ぐように補強板２０が配設されているので、滑り止め部材１９の上からフォーカスリング１８を操作しても、貫通孔１８ａの感触は使用者には伝わらない。
【００１３】
４は中空軸であり、互いに中心軸の位置が異なる第１円筒部４ａおよび第２円筒部４ｂと、図１における紙面上方に位置する頭部の溝４ｃと、図１における紙面下方に位置する先端から頭部まで延在する貫通孔４ｄとを有する。第１円筒部４ａは、中空軸４の先端近傍に設けられ、その中心軸は貫通孔４ｄの中心軸と一致する。第２円筒部４ｂは、中空軸４の頭部近傍に設けられ、その中心軸は貫通孔４ｄおよび第１円筒部４ａの中心軸とは異なる。すなわち、第１円筒部４ａの中心軸と第２円筒部の中心軸とは、互いに偏心している。頭部の溝４ｃは、貫通孔４ｄの中心軸と直交するように設けられた、いわゆるすりわりである。
【００１４】
中空軸４は、移動枠２の嵌合部２ａに第１円筒部４ａの先端部分が嵌合した状態で、貫通孔４ｄに挿通された取付ボルト５によって取り付けられる。すなわち、偏心ピンが中空軸４と取付ボルト５とによって構成されている。中空軸４は、第１円筒部４ａが転がり軸受７の内輪７ａに、第２円筒部４ｂが転がり軸受６の内輪６ａに嵌挿された状態で移動枠２に取り付けられる。中空軸４が移動枠２に取り付けられると、転がり軸受７は固定筒１の直進溝１ｂに嵌合し、転がり軸受６は回転筒３のカム溝３ｂに嵌合した状態となる。すなわち、中空軸４は、固定筒１の直進溝１ｂと回転筒３のカム溝３ｂとの交差部に位置することとなる。
【００１５】
転がり軸受７の外輪７ｂの外径は直進溝１ｂの幅と略等しく、転がり軸受６の外輪６ｂの外径はカム溝３ｂの幅と略等しい。転がり軸受６は、カム溝３ｂによって駆動されるカムフォロアとなる。転がり軸受７は、直進溝１ｂによって駆動されるカムフォロアとなる。
【００１６】
転がり軸受６と転がり軸受７とを離間させて互いに干渉しないように、転がり軸受６と転がり軸受７との間には座金８が配設されている。また、転がり軸受７と移動枠２の外周面とが干渉しないように、転がり軸受７と移動枠２の間には座金９が設けられている。
【００１７】
１０はガタ取り環であり、移動枠２の後部円筒部２ｂの外周に嵌合し、光軸ＡＸ１方向に移動可能である。１１はバネ部材であり、移動枠２とガタ取り環１０とが互いに光軸ＡＸ１方向に離間するように移動枠２とガタ取り環１０とに付勢力を与える。なお、バネ部材１１の代わりにエラストマーなどの弾性体によって移動枠２とガタ取り環１０とに付勢力を与えるように構成してもよい。１２は取付ボルトであり、転がり軸受１３とスペーサ１４とをガタ取り環１０に取り付ける。
【００１８】
転がり軸受１３は、上述のように取付ボルト１２によってガタ取り環１０に取り付けられて、回転筒３のカム溝３ａと嵌合する。スペーサ１４は、転がり軸受１３が回転筒３のカム溝３ａと嵌合するように転がり軸受１３とガタ取り環１０とを離間する。
【００１９】
上述したように、ガタ取り環１０は、バネ部材１１の付勢力によって光軸ＡＸ１方向後方に付勢されている。そのため、取付ボルト１２によってガタ取り環１０に取り付けられた転がり軸受１３が光軸ＡＸ１方向後方へ押圧されて、外輪１３ｂが回転筒３のカム溝３ａの光軸ＡＸ１方向後方の面に当接する。これにより、ガタ取り環１０は、回転筒３に対する光軸ＡＸ１方向後方への移動が規制される。
【００２０】
また、移動枠２は、バネ部材１１の付勢力によって光軸ＡＸ１方向前方に付勢されている。そのため、取付ボルト５および中空軸４とともに移動枠２に対して取り付けられた転がり軸受６が光軸ＡＸ１方向前方へ押圧されて、外輪６ｂが回転筒３のカム溝３ｂの光軸ＡＸ１方向前方の面に当接する。これにより、移動枠２は、バネ部材１１によって光軸ＡＸ１方向前方へ付勢されつつも、カム溝３ｂの光軸ＡＸ１方向前方の面によって光軸ＡＸ１方向前方への移動が規制された状態となるので、外輪６ｂの直径とカム溝３ｂの幅との差に起因する移動枠２のがたつきが抑制される。
【００２１】
１５は取付ボルトであり、後述する転がり軸受１６を固定筒１に取り付ける。転がり軸受１６は、取付ボルト１５によって固定筒１に取り付けられて、回転筒３の円周溝３ｃと嵌合する。転がり軸受１６と固定筒１の外周面とが干渉しないように、転がり軸受１６と固定筒１の間には座金１７が設けられている。
【００２２】
図２に示すように、フォーカスリング１８の外周部分には、撮影距離を表す距離目盛１８ｃが設けられている。固定筒１の外周には、フォーカスリング１８の距離目盛１８ｃによって撮影距離を示すための指標１ｃが設けられている。
【００２３】
このように構成されるレンズ鏡筒１００では、使用者によってフォーカスリング１８が回転操作されると、切り欠き部１８ｄに突起部３ｄを嵌合させた回転筒３が固定筒１に対して光軸ＡＸ１周りに回動される。回転筒３が回動されると、カム溝３ａ，３ｂと固定筒１の直進溝１ｂとの交点が光軸ＡＸ１の前後方向に移動するので、転がり軸受６，１３とともに移動枠２とガタ取り環１０とが光軸ＡＸ１の前後方向へ移動する。レンズＬ２も移動枠２とともに光軸ＡＸ１の前後方向に移動するので、被写体光の結像面が光軸ＡＸ１の前後方向に移動する。
【００２４】
すなわち、使用者によるフォーカスリング１８の回転操作に応じて、レンズＬ２が光軸ＡＸ１の前後方向に移動して被写体光の結像面が光軸ＡＸ１の前後方向に移動する。これにより所望の位置に結像面を移動させてフォーカス調整を行うことができる。フォーカス調整後の撮影距離は、指標１ｃによって指し示されるフォーカスリング１８の距離目盛１８ｃによって知ることができる。
【００２５】
−−−距離目盛１８ｃと結像面位置との関係の調節−−−
レンズ鏡筒１００の組み立て時に、指標１ｃが指し示す距離目盛１８ｃの距離と、実際に合焦状態となる撮影距離とが一致しないことがあるため、距離目盛１８ｃと結像面位置との関係、すなわち、フォーカスリング１８の回動位置に対する移動枠２の光軸ＡＸ１方向の位置の調節が必要となることがある。この調節は、レンズ鏡筒１００を組み立てる際に、フォーカスリング１８の外周面に滑り止め部材１９および補強板２０を取り付ける前に、次のようにして行われる。
【００２６】
フォーカスリング１８を所定の回動位置に回動させることで、フォーカスリング１８の側面に開口した貫通孔１８ａから中空軸４および取付ボルト５にアクセスできる。なお、指標１ｃによって指し示されるフォーカスリング１８の距離目盛１８ｃが無限遠となるときに、貫通孔１８ａから中空軸４および取付ボルト５にアクセスできることが望ましい。この状態で、取付ボルト５を緩めることで、中空軸４が貫通孔４ｄの中心軸を中心に回動可能となる。貫通孔１８ａから挿入した工具を中空軸４の頭部の溝４ｃにかみ合わせることで、中空軸４を回動できる。
【００２７】
図３（ａ），（ｂ）は、固定筒１の直進溝１ｂと回転筒３のカム溝３ｂとの交差部を図１における紙面上方から見たときの模式図である。上述のように、偏心ピンが中空軸４と取付ボルト５とによって構成されているので、転がり軸受７と転がり軸受６とは、互いに偏心した状態で固定筒１の直進溝１ｂおよび回転筒３のカム溝３ｂと嵌合している。したがって、中空軸４が貫通孔４ｄの中心軸を中心に回動されると、直進溝１ｂとカム溝３ｂとの交差部に対して、転がり軸受７は直進溝１ｂに沿って移動し、転がり軸受６はカム溝３ｂに沿って移動する。たとえば、図３（ａ）に示した状態から中空軸４が貫通孔４ｄの中心軸（図３におけるＡＸ２）を中心に図示反時計方向に回動されると、図３（ｂ）に示すように、転がり軸受７が光軸ＡＸ１の後方に距離△Ｌだけ移動する。
【００２８】
このように、貫通孔４ｄの中心軸ＡＸ２を中心に中空軸４を外部から回動させることで、転がり軸受７が光軸ＡＸ１に沿って進退するので、転がり軸受７の内輪７ａに挿通された中空軸４も光軸ＡＸ１に沿って進退する。上述のように、中空軸４の第１円筒部４ａの先端部分が移動枠２の嵌合部２ａに嵌合しているので、貫通孔４ｄの中心軸ＡＸ２を中心に中空軸４を回動させることで、移動枠２とともにレンズＬ２も光軸ＡＸ１に沿って進退する。
【００２９】
すなわち、フォーカスリング１８および回転筒３を固定筒１に対して回動させることなく、貫通孔４ｄの中心軸ＡＸ２を中心に中空軸４を外部から回動させることで、移動枠２およびレンズＬ２の光軸ＡＸ１方向の位置を調節して、指標１ｃが指し示す距離目盛１８ｃの距離と、実際の撮影距離とを一致させることができる。たとえば、指標１ｃによって指し示されるフォーカスリング１８の距離目盛１８ｃが無限遠となるときに、レンズＬ１〜Ｌ３をレンズ鏡筒１００から外すことなく、光軸ＡＸ１方向前方からレンズ鏡筒１００に平行光を入射する。そして、入射光の結像面位置が所定の位置となるように上述した中空軸４を回動させて移動枠２およびレンズＬ２の光軸ＡＸ１方向の位置を調節して、指標１ｃが指し示す距離目盛１８ｃの距離と、実際の撮影距離とを一致させることができる。なお、中空軸４を回動する際に、フォーカスリング１８および回転筒３を固定筒１に対して回動しないように固定するようにしてもよい。
【００３０】
上述のように、回転筒３のカム溝３ｂと嵌合している転がり軸受６は、中空軸４の回動中心である中心軸ＡＸ２に対して偏心した第２円筒部４ｂに取り付けられ、固定筒１の直進溝１ｂと嵌合している転がり軸受７は、中心軸ＡＸ２と同じ中心軸を持つ第１円筒部４ａに取り付けられている。そのため、中心軸ＡＸ２を中心に中空軸４が回動されても、移動枠２は光軸ＡＸ１周りに回動することなく光軸ＡＸ１に沿って進退する。
【００３１】
上述したレンズ鏡筒１００では、次の作用効果を奏する。
（１）  移動枠２を光軸ＡＸ１に沿って進退させるための中空軸４をレンズ鏡筒１００の外部から回転させることができるように構成した。これにより、フォーカスリング１８の回動位置に対する移動枠２の光軸ＡＸ１方向の位置を容易に調節でき、指標１ｃが指し示す距離目盛１８ｃの距離と、実際の撮影距離とを容易に一致させることができる。また、レンズＬ１〜Ｌ３をレンズ鏡筒１００から外すことなくフォーカスリング１８の回動位置に対する移動枠２の光軸ＡＸ１方向の位置を調節できるので、レンズ鏡筒１００の組み立て時における戻り作業がなく、効率的にレンズ鏡筒１００を組み立てることができる。
【００３２】
（２）  中空軸４によって、転がり軸受７と転がり軸受６とが互いに偏心した状態で固定筒１の直進溝１ｂおよび回転筒３のカム溝３ｂに嵌合するように構成した。すなわち、偏心ピンが中空軸４と取付ボルト５とによって構成されるので、簡単な機構で、移動枠２およびレンズＬ２の光軸ＡＸ１方向の位置を調節できる。
【００３３】
（３）  第１円筒部４ａの中心軸が貫通孔４ｄの中心軸と一致し、第２円筒部４ｂの中心軸が貫通孔４ｄおよび第１円筒部４ａの中心軸とは異なるように構成した。すなわち、偏心ピンを構成する中空軸４の偏心部分（第２円筒部４ｂ）がカム溝３ｂ側に配設されるように構成した。したがって、中空軸４の回動による移動枠２およびレンズＬ２の光軸ＡＸ１方向の位置調節に際して、移動枠２が光軸ＡＸ１周りに回動することがないので、移動枠２と、ガタ取り環１０やバネ部材１１などとの間でラジアル方向の摩擦が発生しない。これにより、各部の摺動摩擦による中空軸４の回動に対する抵抗力を低減して、移動枠２およびレンズＬ２の光軸ＡＸ１方向の位置調節がし易くなる。
【００３４】
−−−変形例−−−
（１）  上述の説明では、各溝１ｂ，３ａ，３ｂ、中空軸４、取付ボルト５、および、中空軸４に取り付けられる転がり軸受６，７などの構成要素の配設数については特に言及していないが、少なくとも１つ以上設けられていればよい。なお、レンズＬ２の光軸が傾くことを防止するため、上述した構成要素は、光軸ＡＸ１を中心とした周方向に３箇所以上設けられることが好ましい。
【００３５】
（２）  上述の説明では、ガタ取り環１０、バネ部材１１、取付ボルト１２および転がり軸受１３によって移動枠２のがたつきを抑制するように構成しているが、本発明はこれに限定されない。外輪６ｂの直径とカム溝３ｂの幅との差が十分に小さければ、ガタ取り環１０、バネ部材１１、取付ボルト１２および転がり軸受１３は設ける必要がない。この場合、カム溝３ａも不要である。
【００３６】
（３）  上述の説明では、中空軸４の第２円筒部４ｂ、すなわち偏芯ピンの偏心部分がカム溝３ｂ側に配設されるように構成したが、本発明はこれに限定されない。たとえば、偏芯ピンの偏心部分が第１円筒部４ａに設けられて、固定筒１の直進溝１ｂ側に配設されるように構成してもよい。
【００３７】
（４）  上述の説明では、移動枠２の嵌合部２ａに嵌合する第１円筒部４ａの先端部分の外径は第１円筒部４ａの外径と同じであるが、本発明はこれに限定されない。たとえば、図４に示すように、第１円筒部４ａの先端部分４ｅの外径が第１円筒部４ａの外径よりも小さくされ、この小径化された先端部分４ｅが移動枠２の嵌合部２ａに嵌合するようにしてもよい。
【００３８】
（５）  上述の説明では、貫通孔４ｄの中心軸ＡＸ２を中心に中空軸４を回動させることで、移動枠２およびレンズＬ２の光軸ＡＸ１方向の位置を調節して、指標１ｃが指し示す距離目盛１８ｃの距離と、実際の撮影距離とを一致させているが、本発明はこれに限定されない。たとえば、ズームレンズにおける焦点距離の表示と実際の焦点距離とを一致させるために本発明を適用してもよい。すなわち、上述した中空軸４および取付ボルト５で構成される偏心ピンによって、焦点距離の変更のためにレンズ鏡筒内を光軸方向に進退するレンズおよびレンズ保持枠の光軸方向の位置を外部から調節するように構成してもよい。
【００３９】
（６）  上述の説明では、固定筒１に直進溝１ｂが設けられ、回転筒３にカム溝３ａ，３ｂが設けられているが、固定筒１にカム溝が設けられ、回転筒３に直進溝が設けられていてもよい。
【００４０】
（７）  上述の説明では、カメラの交換レンズであるレンズ鏡筒に対して本発明を適用したが、本発明はこれに限定されない。たとえば、カメラに組み込まれているレンズに対して本発明を適用してもよい。また、交換レンズやカメラ以外であっても、たとえば単眼鏡や双眼鏡、顕微鏡など、レンズを用いる各種光学装置に対して本発明を適用できる。
（８）  上述した各実施の形態および変形例は、それぞれ組み合わせてもよい。
【００４１】
なお、本発明は、上述した実施の形態のものに何ら限定されず、レンズ鏡筒の外部からレンズおよびレンズ保持枠の光軸方向の位置を調節することができる各種構造のものを含むものである。
【図面の簡単な説明】
【００４２】
【図１】本発明によるレンズ鏡筒１００を、光軸を含む面で切断した断面を示す図である。
【図２】レンズ鏡筒１００の外観図である。
【図３】固定筒１の直進溝１ｂと回転筒３のカム溝３ｂとの交差部を図１における紙面上方から見たときの模式図である。
【図４】変形例を示す図である。
【符号の説明】
【００４３】
１  固定筒                            １ｂ  直進溝
１ｃ  指標                            ２  移動枠
３  回転筒                            ３ａ，３ｂ  カム溝
４  中空軸                            ４ａ  第１円筒部
４ｂ  第２円筒部                      ４ｄ  貫通孔
５  取付ボルト                        ６，７  転がり軸受
１８  フォーカスリング                １８ｃ  距離目盛
１００  レンズ鏡筒                    Ｌ１〜Ｌ３  レンズ
ＡＸ１  光軸
【図１】
2007114540.tif 000003
【図２】
2007114540.tif 000004
【図３】
2007114540.tif 000005
【図４】
2007114540.tif 000006